(57)【要約】【課題】ゴルファーごとのスイングフォームに適したゴルフクラブヘッド１の提供。【解決手段】ヘッド１の最高反発点Ｍは、打球面中心Ｃよりも上側に位置している。最高反発点Ｍは、ＵＳＧＡの定めるペンデュラムテストに準拠して測定された（ｔ２−ｔ１）が最大となる点である。打球面中心Ｃの座標が（０，０）とされ、最高反発点Ｍの座標が（ｘ，ｙ）とされたとき、ｙは０ｍｍを越えて１０ｍｍ以下である。最高反発点Ｍにおける（ｔ２−ｔ１）の値は、２５０・１０−６秒以上である。打球面中心Ｃにおける（ｔ２−ｔ１）の値は、２５０・１０−６秒未満である。ｙが−５ｍｍ以上０ｍｍ未満に設定されてもよい。ｘが−１０ｍｍ以上０ｍｍ未満に設定されてもよい。ｘが０ｍｍを越えて１０ｍｍ以下に設定されてもよい。【選択図】  図４
2004267438.tif 000002
【特許請求の範囲】
【請求項１】
トウ側からヒール側に向かう水平方向がＸ方向とされ、鉛直上向き方向がＹ方向とされ、打球面中心の座標が（０，０）とされ、打球面のうち最高反発点の座標が（ｘ，ｙ）とされたとき、ｙが０ｍｍを越えて１０ｍｍ以下であるゴルフクラブヘッド。
【請求項２】
上記ｙが５ｍｍ以上８ｍｍ以下である請求項１に記載のゴルフクラブヘッド。
【請求項３】
上記打球面中心における、ＵＳＧＡの定めるペンデュラムテストに準拠して測定された（ｔ２−ｔ１）の値が２５０・１０−６秒未満である請求項１又は２に記載のゴルフクラブヘッド。
【請求項４】
上記最高反発点における、ＵＳＧＡの定めるペンデュラムテストに準拠して測定された（ｔ２−ｔ１）の値が２５０・１０−６秒以上である請求項１から３のいずれかに記載のゴルフクラブヘッド。
【請求項５】
トウ側からヒール側に向かう水平方向がＸ方向とされ、鉛直上向き方向がＹ方向とされ、打球面の中心座標が（０，０）とされ、打球面のうち最高反発点の座標が（ｘ，ｙ）とされたとき、ｙが−５ｍｍ以上０ｍｍ未満であるゴルフクラブヘッド。
【請求項６】
上記ｙが−５ｍｍ以上−２ｍｍ以下である請求項５に記載のゴルフクラブヘッド。
【請求項７】
上記打球面中心における、ＵＳＧＡの定めるペンデュラムテストに準拠して測定された（ｔ２−ｔ１）の値が２５０・１０−６秒未満である請求項５又は６に記載のゴルフクラブヘッド。
【請求項８】
上記最高反発点における、ＵＳＧＡの定めるペンデュラムテストに準拠して測定された（ｔ２−ｔ１）の値が２５０・１０−６秒以上である請求項５から７のいずれかに記載のゴルフクラブヘッド。
【請求項９】
トウ側からヒール側に向かう水平方向がＸ方向とされ、鉛直上向き方向がＹ方向とされ、打球面中心の座標が（０，０）とされ、打球面のうち最高反発点の座標が（ｘ，ｙ）とされたとき、ｘが−１０ｍｍ以上０ｍｍ未満であるゴルフクラブヘッド。
【請求項１０】
上記ｘが−８ｍｍ以上−３ｍｍ以下である請求項９に記載のゴルフクラブヘッド。
【請求項１１】
上記打球面中心における、ＵＳＧＡの定めるペンデュラムテストに準拠して測定された（ｔ２−ｔ１）の値が２５０・１０−６秒未満である請求項９又は１０に記載のゴルフクラブヘッド。
【請求項１２】
上記最高反発点における、ＵＳＧＡの定めるペンデュラムテストに準拠して測定された（ｔ２−ｔ１）の値が２５０・１０−６秒以上である請求項９から１１のいずれかに記載のゴルフクラブヘッド。
【請求項１３】
トウ側からヒール側に向かう水平方向がＸ方向とされ、鉛直上向き方向がＹ方向とされ、打球面中心の座標が（０，０）とされ、打球面のうち最高反発点の座標が（ｘ，ｙ）とされたとき、ｘが０ｍｍを越えて１０ｍｍ以下であるゴルフクラブヘッド。
【請求項１４】
上記ｘが３ｍｍ以上８ｍｍ以下である請求項１３に記載のゴルフクラブヘッド。
【請求項１５】
上記打球面中心における、ＵＳＧＡの定めるペンデュラムテストに準拠して測定された（ｔ２−ｔ１）の値が２５０・１０−６秒未満である請求項１３又は１４に記載のゴルフクラブヘッド。
【請求項１６】
上記最高反発点における、ＵＳＧＡの定めるペンデュラムテストに準拠して測定された（ｔ２−ｔ１）の値が２５０・１０−６秒以上である請求項１３から１５のいずれかに記載のゴルフクラブヘッド。
【発明の詳細な説明】
【０００１】
【発明の属する技術分野】
本発明は、ウッド型ゴルフクラブ、アイアン型ゴルフクラブ等に用いられるヘッドに関する。
【０００２】
【従来の技術】
ゴルファーは、ゴルフボールの飛距離に関心が高い。打撃直後の速度が大きいほど、ゴルフボールはよく飛ぶ。ゴルファーは、ゴルフボールをより遠くまで飛ばせるゴルフクラブを好む。ゴルフボールに大きな初速を与えうるゴルフクラブ、換言すれば反発性能に優れているゴルフクラブは、飛距離に優れている。特許第２６５１５６５号公報では、反発性能向上を目的としたヘッドの改良が提案されている。
【０００３】
【特許文献１】
特許第２６５１５６５号公報
【０００４】
【発明が解決しようとする課題】
ヘッドは質量分布を有するので、打球面の全体にわたって反発性能が均一であるヘッドは得られがたい。従来のヘッドでは、打球面の中心近傍に最高反発点が存在している。しかし、ゴルフプレー中に、必ずしも打球面の中心でゴルフボールが打撃されているわけではない。打点は、ゴルファーのスイングフォームに依拠する。統計的に得られたゴルファーごとの打点は、様々である。主として中心よりも上方でゴルフボールを打撃するゴルファー、主として中心よりも下方でゴルフボールを打撃するゴルファー、主として中心よりもトウ側でゴルフボールを打撃するゴルファー、及び主として中心よりもヒール側でゴルフボールを打撃するゴルファーが存在する。これらのゴルファーが打球面の中心近傍に最高反発点が存在しているヘッドを用いても、十分な飛距離は得られない。
【０００５】
本発明の目的は、ゴルファーごとのスイングフォームに適したゴルフクラブヘッドの提供にある。
【０００６】
【課題を解決するための手段】
本発明に係るゴルフクラブヘッドでは、トウ側からヒール側に向かう水平方向がＸ方向とされ、鉛直上向き方向がＹ方向とされ、打球面中心の座標が（０，０）とされ、打球面のうち最高反発点の座標が（ｘ，ｙ）とされたとき、ｙは０ｍｍを越えて１０ｍｍ以下である。このヘッドでは、最高反発点が中心点よりも上側に存在する。このヘッドは、中心点よりも上側でゴルフボールを打撃することが多いゴルファーに適している。好ましくは、ｙは５ｍｍ以上８ｍｍ以下である。
【０００７】
他の発明に係るゴルフクラブヘッドでは、ｙは−５ｍｍ以上０ｍｍ未満である。このヘッドは、中心点よりも下側でゴルフボールを打撃することが多いゴルファーに適している。好ましくは、ｙは−５ｍｍ以上−２ｍｍ以下である。
【０００８】
さらに他の発明に係るゴルフクラブヘッドでは、ｘは−１０ｍｍ以上０ｍｍ未満である。このヘッドは、中心点よりもトウ側でゴルフボールを打撃することが多いゴルファーに適している。好ましくは、ｘは−８ｍｍ以上−３ｍｍ以下である。
【０００９】
さらに他の発明に係るゴルフクラブヘッドでは、ｘは０ｍｍを越えて１０ｍｍ以下である。このヘッドは、中心点よりもヒール側でゴルフボールを打撃することが多いゴルファーに適している。好ましくは、ｘは３ｍｍ以上８ｍｍ以下である。
【００１０】
好ましくは、ＵＳＧＡの定めるペンデュラムテストに準拠して測定された、打球面中心における（ｔ２−ｔ１）の値は、２５０・１０−６秒未満である。このゴルフクラブは、ＵＳＧＡのルールに適合する。このゴルフクラブは、公式戦での使用が認められる。
【００１１】
好ましくは、ＵＳＧＡ（Ｕｎｉｔｅｄ  Ｓｔａｔｅｓ  Ｇｏｌｆ  Ａｓｓｏｃｉａｔｉｏｎ）の定めるペンデュラムテストに準拠して測定された、最高反発点における（ｔ２−ｔ１）の値は、２５０・１０−６秒以上である。このゴルフクラブヘッドは、特に飛距離に優れる。
【００１２】
【発明の実施の形態】
以下、適宜図面が参照されつつ、好ましい実施形態に基づいて本発明が詳細に説明される。
【００１３】
図１は、本発明の一実施形態に係るゴルフクラブヘッド１が示された斜視図である。このヘッド１は、ウッド型である。ヘッド１は、ボディ３、フェース５、クラウン７及びネック９を備えている。ボディ３には、ソール１１が含まれる。ボディ３とフェース５との境界部分は、丸められている。クラウン７とフェース５との境界部分も、丸められている。ネック９には、図示されていないシャフトの前端が嵌入される。
【００１４】
図２は、図１のヘッド１が示された正面図である。この図２には、ネック９の軸中心が鉛直平面内に位置し、かつライ角及びフック角が設定値となるように水平な地面上にヘッド１が置かれたときのフェース５が示されている。この図２において左から右に向かう方向（水平方向）がＸ方向であり、下から上に向かう方向（鉛直方向）がＹ方向であり、紙面に垂直な方向が打撃方向である。
【００１５】
この図２において二点差線Ａで囲まれた領域は、打球面である。打球面は、その周縁が明瞭な稜線等によって目視で特定されうる場合は、その周縁で囲まれた領域として定義される。ボディ３とフェース５との境界や、クラウン７とフェース５との境界が丸められる（アールがつけられる）ことによって周縁が明瞭でない場合は、まず図２において二点差線で示されるように、ヘッド１の重心とスイートスポットＳＳとを結ぶ直線を含む多数の平面Ｐ１、Ｐ２、Ｐ３、・・・、Ｐｎが想定される。これら平面に沿ったそれぞれの断面において、図３に示されるように、フェース５の外面Ｆの曲率半径ｒが測定される。曲率半径ｒは、フェース５の中心から外方向（図３における上方向及び下方向）に向かって連続的に測定される。測定において曲率半径ｒが最初に２００ｍｍ以下となる地点Ｅが、周縁と定義される。多数の平面Ｐ１、Ｐ２、Ｐ３、・・・、Ｐｎに基づいて決定された周縁Ｅによって囲まれた領域が、打球面である。曲率半径ｒの測定では、フェースライン、パンチマーク等は存在しないと仮定される。
【００１６】
図４は、図２のヘッド１が示された拡大図である。この図４において符号Ｔで示されているのは、トウ側点である。このトウ側点Ｔは、打球面のうち最も左に位置する点である。直線Ｌｔは、トウ側点Ｔを通過して鉛直方向に延びている。符号Ｈで示されているのは、ヒール側点である。このヒール側点Ｈは、打球面のうち最も右に位置する点である。直線Ｌｈは、ヒール側点Ｈを通過して鉛直方向に延びている。直線Ｌｃは、直線Ｌｔ及び直線Ｌｈと平行である。直線Ｌｃと直線Ｌｔとの距離は、直線Ｌｃと直線Ｌｈとの距離と等しい。符号Ｕで示されているのは上側点であり、符号Ｌで示されているのは下側点である。上側点Ｕ及び下側点Ｌは、いずれも直線Ｌｃと二点差線Ａとの交点である。符号Ｃで示されているのは、打球面中心である。中心Ｃは、線分ＵＬの中点である。この図４では、中心Ｃが座標系の原点とされる。換言すれば、中心Ｃの座標は、（０，０）である。
【００１７】
図４において符号Ｍで示されているのは、最高反発点である。最高反発点Ｍとは、打球面のうち、ＵＳＧＡの定めるペンデュラムテストに準拠して測定された（ｔ２−ｔ１）が最も長い点を意味する。（ｔ２−ｔ１）が長いということは、ゴルフボールとヘッド１との接触時間が長いことを意味する。長い接触時間は、大きな反発係数に帰着する。通常のペンデュラムテストではフェース５の中心Ｃのみで（ｔ２−ｔ１）が測定されるが、最高反発点Ｍの決定のためにはフェース５の多数箇所において（ｔ２−ｔ１）が測定される。ペンデュラムテストの詳細は、２００３年２月２４日にＵＳＧＡから発行された「Ｎｏｔｉｃｅ  Ｔｏ  Ｍａｎｕｆａｃｔｕｒｅｒｓ」に添付された「Ｔｅｃｈｎｉｃａｌ  Ｄｅｓｃｒｉｐｔｉｏｎ  ｏｆ  ｔｈｅ  Ｐｅｎｄｕｌｕｍ  Ｔｅｓｔ」に記載されている。
【００１８】
図５はペンデュラムテストに用いられる試験機１３がゴルフクラブ１５と共に示された正面図であり、図６はその右側面図でる。この試験機１３は、基盤１７、この基盤１７から起立する２本の支柱１９、両支柱１９の上方に架け渡された支軸２１、その一端が支軸２１に固定されたアーム２３、このアーム２３の他端に固定された半球状の金属製質量体２５、この質量体２５の背面に取り付けられた加速度センサ２７及びチャック２９を備えている。シャフト３１がチャック２９で把持されることにより、ゴルフクラブ１５は固定されている。アーム２３が所定角度となるまで質量体２５が持ち上げられ、アーム２３が振り下ろされる。すると質量体２５が振り子状に降下し、ヘッド１に衝突する。衝突直前の質量体２５の進行方向がフェース５に対して垂直となるように、フェース５の向きが調整される。
【００１９】
質量体２５とヘッド１とが接触している間、質量体２５の進行方向とは逆方向における加速度が加速度センサ２７によって測定される。図７は、測定された加速度が時間積分されて得られた値Ｖが示されたグラフである。この例では、最終的な値Ｖｍは約１．４５である。値ＶがＶｍの５％に到達するまでの時間ｔ１と、値ＶがＶｍの９５％に到達するまでの時間ｔ２とが、図７のグラフから得られる。
【００２０】
図４に示されたヘッド１では、最高反発点Ｍは中心Ｃよりも上側に位置している。最高反発点Ｍの座標が（ｘ，ｙ）とされたとき、ｙは０ｍｍを越えて１０ｍｍ以下である。このヘッド１は、主として中心Ｃよりも上側でゴルフボールを打撃するゴルファーに適している。このヘッド１では、中心Ｃよりも上側でゴルフボールが打撃された場合、速い速度でゴルフボールが打ち出される。飛行する。また、中心Ｃよりも上方でゴルフボールが打撃されると、いわゆるギア効果によりバックスピンが抑制される。しかも、フェース５がラウンドを備える場合、中心Ｃよりも上方でゴルフボールが打撃されることにより打ち出し角度が高くなる。このヘッド１では、大きなボール速度、小さなバックスピン速度及び大きな打ち出し角度の相乗効果により、大きな飛距離が得られる。飛距離の観点から、ｙは５ｍｍ以上がより好ましく、６ｍｍ以上が特に好ましい。ｙが大きすぎると弾道が高すぎることに起因して飛距離が不十分となるので、ｙは８ｍｍ以下がより好ましく、７ｍｍ以下が特に好ましい。このヘッド１において、ｘは−１０ｍｍ以上１０ｍｍ以下が好ましく、−８ｍｍ以上８ｍｍ以下がより好ましい。
【００２１】
ｙが０ｍｍを越えた値に設定される手法としては、
（１）クラウン７の厚みが大きくされることで、ヘッド１の質量分布が比較的上側に設定されること、
（２）中心Ｃよりも上側のフェース５が薄くされ、この部分における打球時の撓み量が大きくされること、
（３）クラウン７が低弾性材料から構成されること
及び
（４）クラウン７の湾曲の程度が高められること
が例示される。
【００２２】
このヘッド１の最高反発点Ｍにおける（ｔ２−ｔ１）の値は、２５０・１０−６秒以上が好ましい。これにより、より大きな飛距離が得られる。飛距離の観点から、（ｔ２−ｔ１）の値は２７０・１０−６秒以上がより好ましく、２９０・１０−６秒以上が特に好ましい。通常得られる材料によって通常の強度を備えたヘッド１が構成された場合、（ｔ２−ｔ１）の値は４５０・１０−６秒以下である。
【００２３】
ＵＳＧＡのルールが遵守される観点から、中心Ｃにおける（ｔ２−ｔ１）の値は２５０・１０−６秒未満が好ましい。製造上のばらつきが考慮されれば、中心Ｃにおける（ｔ２−ｔ１）の値は２４０・１０−６秒未満がより好ましく、２３０・１０−６秒未満が特に好ましい。中心Ｃが打点とされたときの飛距離の観点から、中心Ｃにおける（ｔ２−ｔ１）の値は１８０・１０−６秒以上が好ましい。
【００２４】
図８は、本発明の他の実施形態に係るヘッド３３が示された正面図である。この図８におけるヘッド３３の位置決め方法は、図４の場合と同等である。このヘッド３３では、最高反発点Ｍは中心Ｃよりも下側に位置している。最高反発点Ｍの座標が（ｘ，ｙ）とされたとき、ｙは−５ｍｍ以上０ｍｍ未満である。このヘッド３３は、主として中心Ｃよりも下側でゴルフボールを打撃するゴルファーに適している。このヘッド３３では、中心Ｃよりも下側でゴルフボールが打撃された場合、速い速度でゴルフボールが打ち出される。飛距離の観点から、ｙは−２ｍｍ以下がより好ましく、−３ｍｍ以下が特に好ましい。このヘッド３３において、ｘは−１０ｍｍ以上１０ｍｍ以下が好ましく、−８ｍｍ以上８ｍｍ以下がより好ましい。
【００２５】
ｙが０ｍｍ未満に設定される手法としては、
（１）ソールのリーディングエッジに高比重金属が配置されること、
（２）中心Ｃよりも下側のフェースが薄くされ、この部分における打球時の撓み量が大きくされること
及び
（３）湾曲したソールが用いられること
が例示される。
【００２６】
このヘッド３３においても、飛距離の観点から、最高反発点Ｍにおける（ｔ２−ｔ１）の値は、２５０・１０−６秒以上が好ましく、２７０・１０−６秒以上がより好ましく、２９０・１０−６秒以上が特に好ましい。通常得られる材料によって通常の強度を備えたヘッド３３が構成された場合、（ｔ２−ｔ１）の値は４５０・１０−６秒以下である。
【００２７】
このヘッド３３においても、ＵＳＧＡのルールが遵守される観点から、中心Ｃにおける（ｔ２−ｔ１）の値は２５０・１０−６秒未満が好ましく、２４０・１０−６秒未満がより好ましく、２３０・１０−６秒未満が特に好ましい。中心Ｃが打点とされたときの飛距離の観点から、中心Ｃにおける（ｔ２−ｔ１）の値は１８０・１０−６秒以上が好ましい。
【００２８】
図９は、本発明のさらに他の実施形態に係るヘッド３５が示された正面図である。この図９におけるヘッド３５の位置決め方法は、図４の場合と同等である。このヘッド３５では、最高反発点Ｍは中心Ｃよりもトウ側に位置している。最高反発点Ｍの座標が（ｘ，ｙ）とされたとき、ｘは−１０ｍｍ以上０ｍｍ未満である。このヘッド３５は、主として中心Ｃよりもトウ側でゴルフボールを打撃するゴルファーに適している。このヘッド３５では、中心Ｃよりもトウ側でゴルフボールが打撃された場合、速い速度でゴルフボールが打ち出される。トウ側はヒール側よりもヘッド速度が速いことと相まって、このヘッド３５では、大きな飛距離が得られる。飛距離の観点から、ｘは−３ｍｍ以下がより好ましく、−４ｍｍ以下が特に好ましい。打球の方向安定の観点から、ｘは−８ｍｍ以上がより好ましく、−６ｍｍ以上が特に好ましい。このヘッド３５において、ｙは−５ｍｍ以上１０ｍｍ以下が好ましく、−５ｍｍ以上８ｍｍ以下がより好ましい。
【００２９】
ｘが０ｍｍ未満に設定される手法としては、
（１）ソールのトウ側に高比重金属が配置されること
及び
（２）中心Ｃよりもトウ側のフェースが薄くされ、この部分における打球時の撓み量が大きくされること
が例示される。
【００３０】
このヘッド３５においても、飛距離の観点から、最高反発点Ｍにおける（ｔ２−ｔ１）の値は、２５０・１０−６秒以上が好ましく、２７０・１０−６秒以上がより好ましく、２９０・１０−６秒以上が特に好ましい。通常得られる材料によって通常の強度を備えたヘッド３５が構成された場合、（ｔ２−ｔ１）の値は４５０・１０−６秒以下である。
【００３１】
このヘッド３５においても、ＵＳＧＡのルールが遵守される観点から、中心Ｃにおける（ｔ２−ｔ１）の値は２５０・１０−６秒未満が好ましく、２４０・１０−６秒未満がより好ましく、２３０・１０−６秒未満が特に好ましい。中心Ｃが打点とされたときの飛距離の観点から、中心Ｃにおける（ｔ２−ｔ１）の値は１８０・１０−６秒以上が好ましい。
【００３２】
図１０は、本発明のさらに他の実施形態に係るヘッド３７が示された正面図である。この図１０におけるヘッド３７の位置決め方法は、図４の場合と同等である。このヘッド３７では、最高反発点Ｍは中心Ｃよりもヒール側に位置している。最高反発点Ｍの座標が（ｘ，ｙ）とされたとき、ｘは０ｍｍを越えて１０ｍｍ以下である。このヘッド３７は、主として中心Ｃよりもヒール側でゴルフボールを打撃するゴルファーに適している。ヒール側はトウ側に比べてヘッド速度が小さいが、最高反発点Ｍがヒール側に位置されることで、飛距離が補われる。飛距離の観点から、ｘは３ｍｍ以上がより好ましく、４ｍｍ以上が特に好ましい。飛距離の観点から、ｘは８ｍｍ以下がより好ましく、７ｍｍ以下が特に好ましい。このヘッド３７において、ｙは−５ｍｍ以上１０ｍｍ以下が好ましく、−５ｍｍ以上８ｍｍ以下がより好ましい。
【００３３】
ｘが０ｍｍを越えた値に設定される手法としては、
（１）ソールのヒール側に高比重金属が配置されること
及び
（２）中心Ｃよりもヒール側のフェースが薄くされ、この部分における打球時の撓み量が大きくされること
が例示される。
【００３４】
このヘッド３７においても、飛距離の観点から、最高反発点Ｍにおける（ｔ２−ｔ１）の値は、２５０・１０−６秒以上が好ましく、２７０・１０−６秒以上がより好ましく、２９０・１０−６秒以上が特に好ましい。通常得られる材料によって通常の強度を備えたヘッド３７が構成された場合、（ｔ２−ｔ１）の値は４５０・１０−６秒以下である。
【００３５】
このヘッド３７においても、ＵＳＧＡのルールが遵守される観点から、中心Ｃにおける（ｔ２−ｔ１）の値は２５０・１０−６秒未満が好ましく、２４０・１０−６秒未満がより好ましく、２３０・１０−６秒未満が特に好ましい。中心Ｃが打点とされたときの飛距離の観点から、中心Ｃにおける（ｔ２−ｔ１）の値は１８０・１０−６秒以上が好ましい。
【００３６】
【実施例】
以下、実施例に基づいて本発明の効果が明らかにされるが、この実施例の記載に基づいて本発明が限定的に解釈されるべきではない。
【００３７】
［実験１］
（試料１）
チタン合金（６Ａｌ４Ｖ−Ｔｉ）からなる試料１のヘッドを、ロストワックス鋳造法により得た。このヘッドの体積は３５０ｍｍ３であり、ロフト角は１１°であり、ライ角は５６°であり、フック角は２°であり、質量は１８８ｇである。
【００３８】
（試料２）
クラウンの厚みを試料１のクラウンよりも大きくし、ソールの厚みを試料１のソールよりも薄くした他は試料１と同様にして、試料２のヘッドを得た。
【００３９】
（試料３）
クラウンをカーボン繊維強化樹脂で構成し、このクラウンの厚みを試料１のクラウンよりも大きくし、フェースの中心Ｃよりも上側の厚みを試料１のフェースよりも薄くし、クラウンの湾曲の程度を試料１のクラウンよりも大きくした他は試料１と同様にして、試料３のヘッドを得た。
【００４０】
（試料４）
クラウンの厚みを試料３のクラウンの１．５倍とし、ソールの厚みを試料３よりも薄くした他は試料３と同様にして、試料３のヘッドを得た。
【００４１】
（打撃試験）
ヘッドにカーボン繊維強化樹脂製シャフト（住友ゴム工業社の商品名「ＭＰ−２００Ｒ」）を装着し、全長が４５インチ（１１４３ｍｍ）でありバランスがＤ０であるゴルフクラブを得た。このゴルフクラブを、ゴルフラボラトリー社のスイングマシンに取り付け、ヘッド速度が４０ｍ／ｓの条件で、ゴルフボール（住友ゴム工業社の商品名「ＸＸＩＯ」）を打撃した。打点のｘ座標を０とし、ｙ座標を０ｍｍから１０ｍｍまで１ｍｍ刻みに変動させた。各ヘッドにおいて最も飛距離が大きかった打点における測定値及び中心Ｃにおける測定値が、下記の表１に示されている。
【００４２】
【表１】
2004267438.tif 000003
【００４３】
表１に示されているように、最高反発点Ｍと最大飛距離時の打点とのずれが小さな試料３及び４のヘッドにおける飛距離は大きい。
【００４４】
［実験２］
（試料５）
クラウンの厚みを試料１のクラウンよりも小さくし、ソールの厚みを試料１のソールよりも厚くした他は試料１と同様にして、試料５のヘッドを得た。
【００４５】
（試料６）
ソールのリーディングエッジにタングステン合金を配置し、フェースの中心Ｃよりも下側の厚みを試料１のフェースよりも薄くし、ソールの湾曲の程度を試料１のソールよりも大きくした他は試料１と同様にして、試料６のヘッドを得た。
【００４６】
（試料７）
タングステン合金の量を試料６のタングステン合金の１．３倍とし、クラウンの厚みを試料６のクラウンよりも薄くした他は試料６と同様にして、試料７のヘッドを得た。
【００４７】
（打撃試験）
実験１と同様にしてゴルフクラブを作成し、「トップしやすい」と自覚しているゴルファーに、各ゴルフクラブごとに１０球ずつゴルフボールを打撃させた。１０名のゴルファーによる飛距離の平均値が、下記の表２に示されている。１０名のゴルファーの最新スコアの平均値は１０５であり、最小値は９６であり、最大値は１１５である。１０名のゴルファーの平均ヘッドスピードは、４１．５ｍ／ｓであった。
【００４８】
【表２】
2004267438.tif 000004
【００４９】
表２から明らかなように、トップしやすいゴルファーには、最高反発点Ｍが中心よりも下側にあるヘッドが適している。
【００５０】
［実験３］
（試料８）
ソールのトウ側にタングステン合金を配置し、ソールのヒール側の厚みを試料１のソールよりも薄くした他は試料１と同様にして、試料８のヘッドを得た。
【００５１】
（試料９）
ソールのトウ側にタングステン合金を配置し、フェースの中心Ｃよりもトウ側厚みを試料１のフェースよりも薄くした他は試料１と同様にして、試料９のヘッドを得た。
【００５２】
（試料１０）
タングステン合金の量を試料９のタングステン合金の１．７倍とし、クラウンのヒール側の厚みを試料９のクラウンよりも薄くした他は試料９と同様にして、試料１０のヘッドを得た。
【００５３】
（打撃試験）
実験１と同様にしてゴルフクラブを作成し、スイングマシンに取り付けてゴルフボールを打撃した。打点のｙ座標を０とし、ｘ座標を−１０ｍｍから０ｍｍまで１ｍｍ刻みに変動させた。各ヘッドにおいて最も飛距離が大きかった打点における測定値が、下記の表３に示されている。
【００５４】
【表３】
2004267438.tif 000005
【００５５】
表３に示されているように、トウ側に最高反発点Ｍが存在するヘッドにおいてトウ側で打撃された場合の飛距離が大きい。これは、トウ側のヘッド速度が大きいことに起因する。
【００５６】
［実験４］
（試料１１）
ソールのヒール側にタングステン合金を配置し、ソールのトウ側の厚みを試料１のソールよりも薄くした他は試料１と同様にして、試料１１のヘッドを得た。
【００５７】
（試料１２）
ソールのヒール側にタングステン合金を配置し、フェースの中心Ｃよりもヒール側の厚みを試料１のフェースよりも薄くした他は試料１と同様にして、試料１２のヘッドを得た。
【００５８】
（試料１３）
タングステン合金の量を試料１２のタングステン合金の１．４倍とし、クラウンのトウ側の厚みを試料１２のクラウンよりも薄くした他は試料１２と同様にして、試料１３のヘッドを得た。
【００５９】
（打撃試験）
実験１と同様にしてゴルフクラブを作成し、ビギナーゴルファーに、各ゴルフクラブごとに１０球ずつゴルフボールを打撃させた。１０名のゴルファーによる飛距離の平均値が、下記の表４に示されている。１０名のゴルファーの最新スコアの平均値は１１８であり、最小値は１０９であり、最大値は１３０である。１０名のゴルファーの平均ヘッドスピードは、４２．９ｍ／ｓであった。
【００６０】
【表４】
2004267438.tif 000006
【００６１】
表４に示されているように、最高反発点Ｍがヒール側に位置するヘッドにおいて大きな飛距離が得られている。この理由は、ヒール側で打撃されたときは大きな反発係数によってある程度のボール初速が発現され、トウ側で打撃されたときは大きなヘッド速度によってある程度のボール初速が発現されるためと推測される。最高反発点Ｍがヒール側に位置するヘッドは、打点のばらつきが大きなゴルファーに適している。
【００６２】
【発明の効果】
以上説明されたように、本発明により、種々の状況に適したゴルフクラブが得られる。
【図面の簡単な説明】
【図１】図１は、本発明の一実施形態に係るゴルフクラブヘッドが示された斜視図である。
【図２】図２は、図１のヘッドが示された正面図である。
【図３】図３は、図２のヘッドの一部が示された拡大断面図である。
【図４】図４は、図２のヘッドが示された拡大図である。
【図５】図５は、ペンデュラムテストに用いられる試験機がゴルフクラブと共に示された正面図である。
【図６】図６は、図５の試験器が示された右側面図である。
【図７】図７は、ペンデュラムテストにおいて測定された加速度が時間積分されて得られた値Ｖが示されたグラフである。
【図８】図８は、本発明の他の実施形態に係るヘッドが示された正面図である。
【図９】図９は、本発明のさらに他の実施形態に係るヘッドが示された正面図である。
【図１０】図１０は、本発明のさらに他の実施形態に係るヘッドが示された正面図である。
【符号の説明】
１、３３、３５、３７・・・ゴルフクラブヘッド（ヘッド）
３・・・ボディ
５・・・フェース
７・・・クラウン
９・・・ネック
１１・・・ソール
１３・・・ペンデュラムテスト試験器
１５・・・ゴルフクラブ
２３・・・アーム
２５・・・質量体
２７・・・加速度センサ
Ｃ・・・打球面の中心
Ｅ・・・打球面の周縁
Ｈ・・・打球面のヒール側点
Ｌ・・・打球面の下側点
Ｍ・・・最高反発点
ＳＳ・・・スイートスポット
Ｔ・・・打球面のトウ側点
Ｕ・・・打球面の上側点
【図１】
2004267438.tif 000007
【図２】
2004267438.tif 000008
【図３】
2004267438.tif 000009
【図４】
2004267438.tif 000010
【図５】
2004267438.tif 000011
【図６】
2004267438.tif 000012
【図７】
2004267438.tif 000013
【図８】
2004267438.tif 000014
【図９】
2004267438.tif 000015
【図１０】
2004267438.tif 000016